(57)【特許請求の範囲】
【請求項１】
主として釣糸または釣針に発光玉を形成するためのキットであって、発光性染顔料を配合した中粘度ないし中高粘度の２−シアノアクリレート組成物を収容したノズル（ａ）  付き主剤容器（Ａ）  と、該主剤容器（Ａ）  のノズル（ａ）  に装着可能なキャピラリーノズル（Ｂ）  と、２−シアノアクリレートを速硬化させる作用を有するプライマーを充填したプライマー容器（Ｃ）  とを備えてなる集魚用発光玉の作製キット。
【請求項２】
主剤容器（Ａ）  に収容した２−シアノアクリレート組成物の粘度が５００〜１００００ｃｐｓ／２５℃である請求項１記載の集魚用発光玉の作製キット。
【発明の詳細な説明】
【０００１】
【産業上の利用分野】
本発明は、主として釣糸や釣針に、簡単かつ確実に、しかも手早く、任意の大きさの発光玉を形成するための集魚用発光玉の作製キットに関するものである。
【０００２】
【従来の技術】
２−シアノアクリレート系瞬間接着剤は、木材、プラスチックス、金属を問わず大部分の材料に対して接着力が大きく、異種材料間の接着にも適用でき、しかも秒速接着が可能であるという特長を有している。
【０００３】
２−シアノアクリレート系瞬間接着剤の釣り具への応用用途の一つとして、釣糸に釣針を取りつけたときにその結び目がほどけるのを防止するため、瞬間接着剤で結び目を接着固定する用途がある。これは、接着剤としての本来の使い方の一つであると言える。
【０００４】
ところで釣りに際しては、釣針の基部や釣糸に蛍光玉など集魚用の発光玉を取り付けることが行われている。釣り人は、発光玉付きの釣針を釣り具店で購入するか、発光玉のみを釣り具店で購入して自分で釣糸に取り付ける。
【０００５】
【発明が解決しようとする課題】
市販の発光玉は、多種の大きさのものを準備しなければならないこと、釣糸に対する取り付け操作が煩わしいこと、取り付けに際し魚の種類や釣場に応じて釣糸や釣針の最適の部位に発光玉を取り付け調整することが容易ではないことなどの問題点がある。
【０００６】
実際の釣りにおいては各人各様のノウハウがあるため、既存の発光玉を用いなければならないことは、釣り人にとっては耐えがたい制約となる。もし簡単に任意の大きさの発光玉を手早く釣糸や釣針に形成することができ、個々の釣り人の創意工夫が生かされるようになれば、この業界の要望に応えることができる。
【０００７】
本発明は、このような背景下において、釣糸または釣針の希望の部位に、簡単かつ確実に、しかも手早く、任意の大きさの発光玉を形成することができる集魚用発光玉の作製キットを提供することを目的とするものである。
【０００８】
【課題を解決するための手段】
本発明の集魚用発光玉の作製キットは、主として釣糸または釣針に発光玉を形成するためのキットであって、発光性染顔料を配合した中粘度ないし中高粘度の２−シアノアクリレート組成物を収容したノズル（ａ）  付き主剤容器（Ａ）  と、該主剤容器（Ａ）  のノズル（ａ）  に装着可能なキャピラリーノズル（Ｂ）  と、２−シアノアクリレートを速硬化させる作用を有するプライマーを充填したプライマー容器（Ｃ）  とを備えてなるものである。
【０００９】
以下本発明を詳細に説明する。
【００１０】
本発明のキットを構成する部材の第１は、発光性染顔料を配合した中粘度ないし中高粘度の２−シアノアクリレート組成物を収容したノズル（ａ）  付き主剤容器（Ａ）  である。なお発光性染顔料における「発光」とは、蛍光、蓄光、夜光などを含む概念であるとする。
【００１１】
ここで２−シアノアクリレートとしては、アルキル２−シアノアクリレート（メチル２−シアノアクリレート、エチル２−シアノアクリレート、イソプロピル２−シアノアクリレート、ｎ−プロピル２−シアノアクリレート、イソブチル２−シアノアクリレート、ｎ−ブチル２−シアノアクリレート等）、アルコキシエチル２−シアノアクリレート（メトキシエチル２−シアノアクリレート、エトキシエチル２−シアノアクリレート等）、ハロゲン化アルキル２−シアノアクリレート（２−クロロエチル２−シアノアクリレート等）、脂環式アルキル２−シアノアクリレート（シクロヘキシル２−シアノアクリレート等）、アリル２−シアノアクリレートをはじめとする種々の２−シアノアクリレートがあげられ、実用上は特にエチル２−シアノアクリレートが重要である。
【００１２】
発光性染顔料としては、化学構造上からは、ジアミノスチルベン系、イミダゾール系、イミダゾロン系、トリアゾール系、チアゾール系、オキサゾール系、オキサジアゾール系、クマリン系、カルボスチリル系、チアジアゾール系、ナフタルイミド系、ピラゾロン系、ペリレン系をはじめとする種々の発光性染顔料があげられ、蛍光色上からは、蛍光ピンク、蛍光イエロー、蛍光オレンジ、蛍光グリーンなどを与える染顔料があげられる。この場合、集魚（ないし誘魚）の観点から蛍光ピンクおよび蛍光イエローを与える発光性染顔料が特に好適に用いられ、水深の浅い所では蛍光イエロー、水深の深い所では蛍光ピンクとすることが多い。
【００１３】
２−シアノアクリレート組成物の粘度は、本発明の目的には中粘度ないし中高粘度、すなわち、５００〜１００００ｃｐｓ／２５℃、好ましくは１０００〜７０００ｃｐｓ／２５℃、なかんずく２０００〜６０００ｃｐｓ／２５℃に設定することが必要であり、組成物の粘度が余りに低いときには球状の発光玉を円滑に形成しがたく、粘度が余りに高いときもやはり球状の発光玉を円滑に形成しがたくなる。
【００１４】
粘度を中粘度ないし中高粘度に設定するには、２−シアノアクリレートに、それに溶解可能な増粘用ポリマーを溶解する方法が好適に採用され、そのときの増粘用ポリマーとしては、たとえば、ポリメタクリレート、ポリアクリレート、ポリシアノアクリレート、アクリロニトリル−ブタジエン共重合体、アクリロニトリル−ブタジエン−スチレン共重合体、メタクリレート−ブタジエン−スチレン共重合体、アクリレート−アクリロニトリル共重合体、ポリ酢酸ビニル、ポリジアリルフタレート、ニトロセルロースなどが用いられる。なお粘度を上げる方法としてはチクソトロピー性付与剤を添加する方法もあるが、この場合は添加量を少量にとどめ、許容限度を越えるチクソトロピー性を生じないようにすることが望ましい。
【００１５】
２−シアノアクリレート組成物は、そのほか、通常の２−シアノアクリレート系瞬間接着剤に使用されている各種の添加剤、たとえば、保存安定剤、有機溶剤、可塑剤、充填剤、耐熱性付与剤、極性低下剤、硬化促進剤、硬化抑制剤、界面活性剤、分散剤、着色剤、カーボネート化合物、ピロガロール、没食子酸などが添加されていてもよい。
【００１６】
発光性染顔料を配合した中粘度ないし中高粘度の２−シアノアクリレート組成物は、ノズル（ａ）  付き主剤容器（Ａ）  に収容される。主剤容器（Ａ）  の形状は、円筒状、円錐状、角形容器状、チューブ状など任意である。
【００１７】
本発明のキットを構成する部材の第２は、上記の主剤容器（Ａ）  のノズル（ａ）  に装着可能なキャピラリーノズル（Ｂ）  である。ノズル（ａ）  にキャピラリーノズル（Ｂ）  を装着しないと、きれいな発光玉を形成することが難しい。キャピラリーノズル（Ｂ）  は、１キットにつき複数本を備えるようにすることもできる。
【００１８】
本発明のキットを構成する部材の第３は、２−シアノアクリレートを速硬化させる作用を有するプライマーを充填したプライマー容器（Ｃ）  である。プライマーは液状でまたは霧状にして適用できる。液状または霧状で適用可能にするため、プライマー容器（Ｃ）  にスポイト、筆、ハケなどを付設したり、ノズル付きのプライマー容器（Ｃ）  を用いてノズルからプライマーを吐出可能にしたり、プライマー容器（Ｃ）  をエアゾールや霧吹き可能に構成したりすることが望ましい。
【００１９】
ここでプライマーとしては、エチルアミン、イソプロピルアミン、ブチルアミン、ラウリルアミン、ジエチルアミン、ジブチルアミン、トリエチルアミン、トリブチルアミン、トリヘキシルアミン、トリラウリルアミン、Ｎ，Ｎ−ジメチルｎ−オクチルアミン、トリアリルアミン、トリベンジルアミン、エタノールアミン、プロパノールアミン、ジエタノールアミン、ｏ−フェニレンジアミン、Ｎ，Ｎ−ジメチル−ｐ−トルイジン、ジエチル−ｐ−トルイジン、Ｎ，Ｎ−ジメチル−ｍ−トルイジン、Ｎ，Ｎ−ジメチル−ｏ−トルイジン、Ｎ，Ｎ−ジメチルアニリン、Ｎ，Ｎ−ジエチルアニリン、ジメチルベンジルアミン、ピリジン、ピコリン、ピペリジン、ピロリン、ビニルピリジン、２，４−ルチジン、３，４−ルチジン、６−アミノ−２−ピコリン、４−ジメチルアミノピリジン、２−アミノピリジン、３−アミノピリジン、１−ビニルイミダゾール、エチレンジアミン、ホルムアミド、ジメチルホルムアミド、ジメチルアセトアミド、トリクロルアセトアミド、コハク酸イミド、ジメチルアミノエチルメタクリレート、ジエチルアミノエチルメタクリレートをはじめとする第１〜３級窒素含有有機塩基性物質が用いられ、テトラメチルアンモニウムクロライドやフェニルトリメチルアンモニウムクロライドの如き第４級アンモニウム塩も用いられる。また、無機塩基性物質を用いることもできる。
【００２０】
プライマーは、通常、これをケトン類、アルコール類、炭化水素類、エステル類、エーテル類、含ハロゲン溶剤、含窒素溶剤、水等の溶剤やこれらの混合溶剤にたとえば０．０００１〜１０重量％程度の濃度になるように溶解した状態で、プライマー容器（Ｃ）  に収容される。
【００２１】
【作用】
本発明のキットを用いて釣糸または釣針に発光玉を形成するには、発光性染顔料を配合した中粘度ないし中高粘度の２−シアノアクリレート組成物を収容したノズル（ａ）  付き主剤容器（Ａ）  のノズル（ａ）  を開口させてから、そのノズル（ａ）  にキャピラリーノズル（Ｂ）  を装着し、そのキャピラリーノズル（Ｂ）  を通して釣糸または釣針に向けて２−シアノアクリレート組成物を注意深く吐出して付着させればよい。付着した組成物は、表面張力により球状になる。この場合、釣糸または釣針をゆっくりと回転させながら組成物を吐出させるか、あるいは、釣糸または釣針の半面側から組成物を付着させ、ついで釣糸または釣針の他の半面側から組成物を付着させるような工夫を行うと、形の良い発光玉を形成させることができる。発光玉の大きさは組成物の付着量に応じて定まるが、発光玉の大きさをさらに大きくしたいときは、一旦玉を形成してから、さらに組成物を付着させるようにすればよい。
【００２２】
釣糸または釣針に２−シアノアクリレート組成物を付着させて玉を形成した後は、その玉にプライマー容器（Ｃ）  のプライマーを接触させて速硬化させ、その玉の形状を固定する。これにより、釣糸または釣針の任意の部位に１ないし適当な数の発光玉を形成することができる。釣糸に発光玉を形成した後、故意に発光玉に力を加えてずらすようにすると、釣糸に添って発光玉をスライド移動させることもできる。
【００２３】
このようにして釣糸または釣針に発光玉を形成すると、好ましい集魚（ないし誘魚）作用が得られ、釣りの成果が上がる。
【００２４】
本発明のキットは、釣糸または釣針に集魚用の発光玉を形成する目的に加え、釣糸にストッパー用の玉を形成したり、釣糸に絡み防止または方向性を付するために従来のパイプ代りに玉を形成したり、釣竿の先端や釣り人が携帯する用具に目印を付したり、あるいは他の適当な物体に目印や模様を付するような使い方をすることもできる。主剤容器（Ａ）  中の２−シアノアクリレート組成物は、もちろんこれを瞬間接着剤として用いることもできる。
【００２５】
【実施例】
次に実施例をあげて本発明をさらに説明する。以下「部」、「％」とあるのは重量基準で表わしたものである。
【００２６】
実施例１
図１は本発明のキットを構成する部材の一例を示した説明図である。図２は本発明のキットの使い方およびそれにより作製した発光玉の一例を示した説明図である。図３は本発明のキットの使い方およびそれにより作製した発光玉の他の一例を示した説明図である。
【００２７】
少量の安定剤（ＳＯ２  およびハイドロキノン）を含むエチル２−シアノアクリレート１００部に、増粘剤としての低重合度ポリメチルメタクリレート２８部を添加混合すると共に、さらにジブチルフタレート２部に発光性染顔料としての蛍光ピンク系または蛍光イエロー系の蛍光染料  ０．２部を均一に混練したものを添加混合した。これにより、粘度３５００ｃｐｓ／２５℃の２−シアノアクリレート組成物が調製された。
【００２８】
この２−シアノアクリレート組成物をノズル（ａ）  付き主剤容器（Ａ）  に充填した。またそのノズル（ａ）  に装着可能なポリエチレン製キャピラリーノズル（Ｂ）  を準備した。さらに、ジメチルアニリン濃度が３％のシクロペンタン溶液からなるプライマーを充填したスプレー式のプライマー容器（Ｃ）  を準備した。
【００２９】
これらの部材からなるキットを用いて、図２のようにして発光玉を形成した。すなわち、図１の主剤容器（Ａ）  のノズル（ａ）  にピンで孔をあけてから、そのノズル（ａ）  にキャピラリーノズル（Ｂ）  を装着し、主剤容器（Ａ）  の胴部を押してキャピラリーノズル（Ｂ）  の先端に２−シアノアクリレート組成物の液を溜め、その溜まった液を釣糸（１）  および釣針（２）  に付着させた。このとき、釣糸（１）  または釣針（２）  を回転させながら液を付着させるか、あるいは釣糸（１）  または釣針（２）  の半面側から液を付着させ、ついで釣糸（１）  または釣針（２）  の他の半面側から液を付着させると、付着液がきれいな球状になる。続いて、形成した玉にプライマー容器（Ｃ）  からプライマー溶液を噴霧したところ、直ちに玉の形状が固定して、蛍光色の発光玉（３）  が形成された。
【００３０】
また図３のように、一旦付着液による玉を形成してから、さらに液を付着させるようにすると、希望の大きさの玉とすることができる。この場合は、途中の段階でプライマー溶液を噴霧して玉の形状を固定してもよく、最終段階でプライマー溶液を噴霧して玉の形状を固定してもよい。一度に大きな玉を作ろうとすると玉が落ちることがあるが、このように段階的に玉を作っていくと、比較的大きな玉を形成させることができる。
【００３１】
実施例２
図４は本発明のキットを構成する部材の他の一例を示した説明図である。
【００３２】
この実施例２においては、トリラウリルアミン濃度が１％のイソプロパノール溶液からなるプライマーを充填したプライマー容器（Ｃ）  を用い、付設のスポイト（筆でもよい）でプライマーを塗布できるようにしてある。
【００３３】
【発明の効果】
本発明の集魚用発光玉の作製キットを用いれば、釣糸または釣針の希望の部位に、簡単かつ確実に、しかも手早く、任意の大きさの発光玉を形成することができる。従って、各人各様のノウハウを持っている個々の釣り人の創意工夫が生かされ、釣りの成果を上げることができる。
【図面の簡単な説明】
【図１】本発明のキットを構成する部材の一例を示した説明図である。
【図２】本発明のキットの使い方およびそれにより作製した発光玉の一例を示した説明図である。
【図３】本発明のキットの使い方およびそれにより作製した発光玉の他の一例を示した説明図である。
【図４】本発明のキットを構成する部材の他の一例を示した説明図である。
【符号の説明】
（Ａ）  …主剤容器、
（ａ）  …ノズル、
（Ｂ）  …キャピラリーノズル、
（Ｃ）  …プライマー容器、
（１）  …釣糸、
（２）  …釣針、
（３）…発光玉
【図１】
0003622929.tif 000002
【図２】
0003622929.tif 000003
【図３】
0003622929.tif 000004
【図４】
0003622929.tif 000005